(57)【要約】【課題】登録されたグループ員による書込みがあったことを、自動的に、特定電話番号でワンコール発信するようにしたパーソナル携帯電話掲示板システムを提供すること。【解決手段】インターネット上に、携帯電話機２、３を使用して通信回線４、５を介して登録されたグループ員Ａ〜Ｆのみがパスワード及びアクセスＩＤを用いてアクセス可能な掲示板サーバー１が運営する電子掲示板を設け、通信回線を介してこの掲示板に前記グループ員による携帯電話機２、３を使用した情報の書込みがあったとき、情報の書込みがあったことを、通信回線を介して前記各グループ員の各携帯電話機２，３に対して特定電話番号でワンコール発信により自動的に通知し、前記各グループ員が通信回線を介して携帯電話機を使用して掲示板サーバーにアクセスし、書込まれた情報を取得できるようにした。【選択図】        図１
2004274650.tif 000002
【特許請求の範囲】
【請求項１】
インターネット上に、携帯電話機を使用して通信回線（インターネット及び携帯電話通信網）を介して登録された会員及びグループ員のみがパスワード及びアクセスＩＤを用いてアクセス可能な掲示板サーバーが運営する電子掲示板を設け、通信回線を介してこの掲示板に前記会員及びグループ員による携帯電話機を使用した情報の書込みがあったとき、情報の書込みがあったことを、通信回線を介して前記会員及び各グループ員の各携帯電話機に対して特定電話番号でワンコール発信により自動的に通知し、前記会員及び各グループ員が通信回線を介して携帯電話機を使用して掲示板サーバにアクセスし、書込まれた情報を取得できるようにしたことを特徴とするパーソナル携帯電話掲示板システム。
【請求項２】
掲示板サーバー、掲示板サーバーが運営する電子掲示板、情報サーバー、書込み通知サーバー、会員及びグループ員の各携帯電話機、通信回線（インターネット及び携帯電話通信網）から成るパーソナル携帯電話掲示板システムであって、
会員の携帯電話機は、会員の操作により通信回線を介してパスワード及びアクセスＩＤを用いて掲示板サーバーにアクセスして、この掲示板サーバー対し、予め掲示板サーバーから提供される所定の会員情報登録フォームに会員情報を書込んで送信し、次いで掲示板サーバーから提供される所定のグループ員情報登録フォームに各グループ員の情報を書込んで送信する機能を有し、
会員及びグループ員の携帯電話機は、会員及びグループ員の操作によりパスワード及びアクセスＩＤを用いて掲示板サーバーにアクセスし、掲示板サーバーから提供される所定の情報書込みのためのフォームに伝えたい情報を書込んで掲示板システムの情報サーバーに送信し、また通信回線を介して情報サーバーに書込みされた情報を閲覧する機能を有し、
掲示板サーバーは、通信回線を介しての会員の携帯電話機からの登録のための会員情報及びグループ員情報を受信し、会員及びグループ員として登録する機能を有し、
情報サーバーは、通信回線を介しての会員及びグループ員の携帯電話機から送信された書込み情報を受信して登録し、必要な期間蓄積して、通信回線を介して会員及びグループ員の携帯電話機からのアクセスがあったとき蓄積した書込み情報を、電子掲示板に表示し、アクセスした携帯電話機に通信回線を介して送信する機能を有し、
書込み通知サーバーは、通信回線を介しての会員或いはグループ員からの情報の書込みがあったことを受けて直ちにすべての会員及びグループ員の携帯電話機に特定電話番号によりワンコール発信をする機能を有することを特徴とするパーソナル携帯電話掲示板システム。
【請求項３】
請求項１又は請求項２に記載のパーソナル携帯電話掲示板システムにおいて、アクセスＩＤとして、前記会員及びグループ員が携帯電話機によりパスワードを用いて掲示板サーバーに最初にアクセスすることにより登録されるそれぞれの携帯電話機の電話番号識別子（携帯電話機一台一台、個々に個人認証に使用される文字列）を用いることを特徴とするパーソナル携帯電話掲示板システム。
【請求項４】
請求項１乃至請求項３のいずれかに記載のパーソナル携帯電話掲示板システムにおいて、前記会員又はグループ員が携帯電話機を使用してアクセスしたとき、携帯電話機の電話番号識別子を認識して、当該会員又はグループ員がアクセスしたことを電子掲示板書き込み情報画面に表示するようにしたことにより会員及びグループ員の閲覧済み、未閲覧の確認を可能にしたことを特徴とするパーソナル携帯電話掲示板システムの初期画面に表示するようにしたことを特徴とするパーソナル携帯電話掲示板システム。
【発明の詳細な説明】
【０００１】
【発明の属する技術分野】
本発明は、携帯電話機を利用したパーソナル携帯電話掲示板システムに関する。
【０００２】
【従来の技術】
携帯電話機を介した情報の伝達手段として、音声通話による方法、データ（メール）による方法があるが、携帯電話機の普及はめざましく、今後さらに普及することは必死である。
このことから、データ量の増大から通信事業者に掛かる設備投資（サーバー）の負担が増大し、携帯電話機の使用に追いつかない現象が発生すると考えられる。
また携帯電話機の利用者は情報交換のスピードアップ化を求め、データ量の増大からくる情報伝達の遅延が発生することも考えられる。
さらに通信上で発生する情報の安全性が求められている。
【０００３】
これらの問題を解決するための一つに携帯電話機を利用した電子掲示板システムが提案されている。
即ち例えば、インターネット上に電子掲示板を設けて、予め登録されたメンバーのみで、パスワードを用いて携帯電話機からアクセスし、電子掲示板に情報を書込んだり、書込まれている情報を読出したりできるようにしたものがある（例えば、特許文献１参照。）
また電子掲示板にアクセスするのに、ＩＤ番号、パスワード、携帯電話機のＩＤを用いるようにしたものも提案されている（例えば、特許文献２参照。）。
さらに電子掲示板に情報の書込みがあった場合に、これを関係者にメールで自動送信するようにしたものも提案されている（例えば、特許文献３参照。）。
【０００４】
【特許文献１】
特開２００２−４１７３３号公報
【特許文献２】
特開２００２−１０８７６０号公報
【特許文献３】
特開２００２−７３５０８号公報
【０００５】
【発明が解決しようとする課題】
本発明は、タイムリーな情報の伝達と相互情報交換をするために、掲示板システムに登録された会員又はグループ員による書込みがあった場合、全員に書込みがあったことを、自動的に、特定電話番号でワンコール発信するようにしたパーソナル携帯電話掲示板システムを提供することを目的とする。
【０００６】
【課題を解決するための手段】
上記目的を達成するために、本発明のパーソナル携帯電話掲示板システムは、インターネット上に、携帯電話機２，３を使用して通信回線（インターネット４及び携帯電話通信網５）を介して登録された会員Ａ及びグループ員Ｂ〜Ｆのみがパスワード及びアクセスＩＤを用いてアクセス可能な掲示板サーバーが運営する電子掲示板を設け、通信回線を介してこの掲示板に前記会員及びグループ員による携帯電話機を使用した情報の書込みがあったとき、情報の書込みがあったことを、通信回線を介して前記会員及び各グループ員の各携帯電話機に対して特定電話番号でワンコール発信により自動的に通知し、前記会員及び各グループ員が通信回線を介して携帯電話機を使用して掲示板サーバーにアクセスし、書込まれた情報を取得できるようにした。
【０００７】
また本発明のパーソナル携帯電話掲示板システムは、掲示板サーバー１、掲示板サーバーが運営する電子掲示板、情報サーバー１１、書込み通知サーバー１２、会員及びグループ員の各携帯電話機２，３、通信回線（インターネット４及び携帯電話通信網５）から成るパーソナル携帯電話掲示板システムであって、会員Ａの携帯電話機２は、会員の操作により通信回線を介してパスワード及びアクセスＩＤを用いて掲示板サーバー１にアクセスして、掲示板サーバー１に対し、予め掲示板サーバーから提供される所定の会員情報登録フォームに会員情報を書込んで送信し、次いで掲示板サーバーから提供される所定のグループ員情報登録フォームに各グループ員Ｂ〜Ｆの情報を書込んで送信する機能を有し、会員Ａ及びグループ員Ｂ〜Ｆの携帯電話機２，３は、会員及びグループ員の操作によりパスワード及びアクセスＩＤを用いて掲示板サーバー１にアクセスし、掲示板サーバー１から提供される所定の情報書込みのためのフォームに伝えたい情報を書込んで掲示板システムの情報サーバー１１に送信し、また通信回線を介して情報サーバーに蓄積された書込み情報を受信して閲覧する機能を有し、掲示板サーバー１は、通信回線を介しての会員の携帯電話機２からの登録のための会員情報及びグループ員情報を受信し、会員及びグループ員として登録する機能を有し、情報サーバー１１は、通信回線を介しての会員及びグループ員の携帯電話機から送信された書込み情報を受信して登録し、必要な期間蓄積して、通信回線を介して会員及びグループ員の携帯電話機からのアクセスがあったとき蓄積した書込み情報を、電子掲示板に表示し、アクセスした携帯電話機に通信回線を介して送信する機能を有し、書込み通知サーバー１２は、通信回線を介しての会員或いはグループ員からの情報の書込みがあったことを受けて直ちにすべての会員及びグループ員の携帯電話機に特定電話番号によりワンコール発信をする機能を有するようにした。
【０００８】
さらに上記において、アクセスＩＤとして、前記会員及びグループ員が携帯電話機によりパスワードを用いて掲示板サーバーに最初にアクセスすることにより登録されるそれぞれの携帯電話機の電話番号識別子（携帯電話機一台一台、個々に個人認証に使用される文字列）を用いるようにした。
またアクセス確認のために、前記会員又はグループ員が携帯電話機を使用してアクセスしたとき、携帯電話機の電話番号識別子を認識して、当該会員又はグループ員がアクセスしたことを当該会員又はグループ員が書込み情報画面にアクセスして閲覧した場合に電子掲示板の書き込み画面に表示するようにした。
【０００９】
【発明の実施の形態】
本発明の実施の形態を実施例にもとづき図面を参照して説明する。
図１は本発明のパーソナル携帯電話掲示板システムの概念図を示す。
本掲示板システムは、掲示板サーバー１、会員Ａの携帯電話機２、グループ員Ｂ〜Ｆの携帯電話機３、インターネット４、携帯電話通信網５等から成り、各携帯電話機２，３からの情報は携帯電話通信網５及びインターネット４（以下、インターネット４及び携帯電話通信網５を合わせて「通信回線」という。）を経て掲示板サーバー１に送信され、また掲示板サーバー１からの情報は通信回線を経て各携帯電話機２，３に送信される。
なお、掲示板サーバー１には、情報サーバー１１及び書き込み通知サーバー１２が付随している。
【００１０】
図２は本掲示板システムに会員登録をする場合の処理の流れを示す図である。
会員になろうとする携帯電話機利用者Ａは、事前に掲示板サーバー１内に準備され、通信回線を介して「ｈｔｔｐ：／／・・・・・・」で提供される所定の会員情報登録のための会員登録必要項目を受信し（Ｓ１）、これに登録に必要な会員の必要情報（パーソナル携帯電話掲示板システムを有料利用する場合必要とする情報及び会員宛に情報発信する際必要な情報）を書き込んで（Ｓ２）、通信回線を介して前記サーバー１へ送信し（Ｓ３）、確認を受けた段階で会員登録を完了する（Ｓ４）。
そして登録された会員情報は前記サーバー１に蓄積される。
なお会員は上記のようにして会員登録できると共に、登録した会員情報を後で変更（会員及びグループ員の追加と抹消）することが出来る、この登録と変更は掲示板システムが提供する基本情報登録画面と基本情報変更画面を使用して行う。
【００１１】
図３は運用基本情報登録（グループ員登録）の場合の処理の流れを示す図である。
会員登録された会員Ａは、掲示板システムを利用し、情報提供、相互情報交換をしようとするグループ員の登録をする。
グループ員登録できるグループ員数は任意に決められるが、通常標準として登録するグループ員は会員Ａを含めて２名〜６名程度とする。
【００１２】
グループ員登録は、会員登録している会員Ａの携帯電話機及びパスワードでのみ書込みができ、掲示板サーバー１が提供するグループ員情報登録のためのグループ員登録必要項目情報を取得し（Ｓ５）、必要項目（会員Ａを含め、登録するグループ員数、使用するＩＤ（グループ員の携帯電話番号）及びパスワードを書込んで（Ｓ６）、送信する（Ｓ７）。
前記サーバー１はこれを受信して、グループ員情報（グループ員数とＩＤ（グループ員の携帯電話番号）及びパスワード）を登録する（Ｓ８）。
そして登録されたグループ員情報は前記サーバー１に蓄積される。
図３の場合は会員Ａ及びグループ員Ｂ〜Ｆがグループ員として登録される。
【００１３】
登録されたグループ員は各々の携帯電話機を用い、各自のＩＤとパスワード（ＰＷ）を使用して掲示板サーバー１にアクセスする。
この最初のアクセスにより、グループ員各々の携帯電話機識別子とパスワードの確認により掲示板サーバー１に登録され、登録された上記のグループ員各々の携帯電話機識別子は、以後アクセスＩＤとして使用される。
また後述のように（図６）、グループ員により書込みされた情報を他のグループ員によりアクセス、閲覧されたとき携帯電話機識別子により、アクセス閲覧の状況を情報書込み画面への表示に使用される。
【００１４】
以後はグループ員が最初にアクセスした携帯電話機のみで本システムへのアクセス（Ｓ９）が可能となる。
グループ員の登録削除と追加変更並びにパスワードの変更は、会員Ａの携帯電話機を使用し、会員Ａのみが基本情報の変更として行うことができる。
【００１５】
図４はグループ員（以下、特記がない場合は会員Ａもグループ員に含まれる。）により書込み情報を登録する場合の処理の流れを示す図である。
なお本掲示板システムの使用は本掲示板システムが提供する書込みのための使用フォームに基づいて行う。
情報提供、相互情報交換をしようとするグループ員（例えば、グループ員Ｂ）は、携帯電話機によりパスワードを用いて、通信回線を介して掲示板サーバー１にアクセスし、書込みのための使用フォーム書き込み情報画面を取得する（Ｓ１０）。
【００１６】
そして伝えたい情報内容を書込み、通信回線を介して送信し（Ｓ１１）、掲示板システムの情報サーバー１１に登録され、必要な一定期間（例えば最大３０日間、又は無期限、削除も可能）蓄積される（Ｓ１２）。
登録された書込み情報は、その他のグループ員（Ａ，Ｃ〜Ｄ）の携帯電話機によって、各々のアクセスＩＤ及びＰＷを用いて掲示板システムにアクセスし、呼び出すことにより伝達される（図６参照）。
【００１７】
図５は書込み情報があったことを発信する場合の図である。
通信回線を介して書込まれた情報が掲示板システム（の情報サーバー１１）に蓄積された場合に、グループ員の全員に対してよりスピーディに書込み情報を伝達するために、書込み通知サーバー１２が設けられており、グループ員が書込み情報を登録したと同時にこれを認識して、この書込みサーバーが全グループ員の携帯電話機Ａ〜Ｆに特定電話番号により自動的にワンコール発信（一回限りのコール発信）するようにされており、このワンコール発信をして、情報の提供があったことを知らせる（Ｓ１）。
このワンコール発信は、あらゆる電話回線（固定電話回線、携帯電話通信回線、ＩＰ電話回線）を使用した特定電話番号によるグループ員に向けた一回限りのコール発信である。
【００１８】
グループ員は書込み通知サーバーが発信する、特定の発信番号（上記の特定電話番号）を自分の携帯電話機の電話帳に登録しておき、通常の呼び出し番号と区別しておくことにより、通常の呼び出しと情報提供があったことの通知とを区別でき、上記のワンコール発信により、情報サーバー１１に情報の書込みがあったことを確認する（Ｓ２）ことができる。
これにより、データ通信による通信事業者のサーバーを介さないで、情報の提供、相互情報交換ができて、情報伝達のスピードアップ化、低コスト化（対音声通話比）、守秘安全性、必要によりデータベース化が図れる。
【００１９】
図６は書き込み情報ダウンロードの場合の処理の流れを示す図である。
登録されたグループ員は、前記のワンコール発信番号を受信すると、携帯電話機により通信回線を介して掲示板システムにアクセスし（Ｓ３）、情報サーバー１１に蓄積された書込み情報を、電子掲示板に呼出し、必要に応じて通信回線を介してダウンロードし（Ｓ４）、必要な情報を取得する。
【００２０】
図７はグループ員によるアクセス確認システムを示す図である。
このシステムは、グループ員の一人が携帯電話機を利用して情報の書込みをし、その情報が他のグループ員によってアクセスされ、情報が共有されたことを確認するためのものである。
そしてグループ員が携帯電話機により掲示板システムにアクセスしたとき、掲示板システムのサーバー１が当該携帯電話機識別子を認識し、掲示板システムの情報書き込み画面に表示する。これによりそのグループ員のアクセスと情報閲覧をしたことが確認される。
【００２１】
【発明の効果】
本発明によれば、以下のような効果が得られる。
（１）通信回線が混雑中で情報伝達が遅延したり、情報が長文でメールによる情報伝達が不可能であったりしても掲示板システムとワンコール発信をすることによりタイムリーな情報発信と伝達が可能となる。
即ち、他社の携帯電話機や、パソコンからのメールにみられるような遅延等のような不具合はない。また会議、交通機関での移動中でも長文の要件確認と返信が簡単にできる。
（２）会員、グループ員により情報を共有化できる。
（３）携帯電話機のメモリー容量に限界があっても、情報サーバー内に情報が残るので保存性がよく、安心できる。
【００２２】
（４）情報はＩＤ・パスワードにより管理されているので、守秘性がよい。携帯電話機の買い替え時でも、携帯電話機中に情報が残らないので安全である。
（５）携帯電話機の持つメモリー機能、性能に拘わらず、多い文字数を利用できる。
（６）過去の情報（００１６にて説明の期間内）を、日付、時間別に情報サーバー内で管理し、確認できる。
（７）携帯電話機によるブロードバンド通信が可能になった場合、文字以外の静止画・動画等の大容量のデータを掲示板システムで活用が可能になる。
（８）本システムの運用は少ないランニングコストでよく、設備投資を必要としない。
ワンコール発信の仕組みと掲示板システムを併用することにより、情報を発信しようとする側と情報を受け取る側において低コスト、ハイスピードで情報があることを知らせ、タイムリーな情報の発信と受信、閲覧することが可能となる。特に昨今情報の重要性が問われる中にあって情報の長文化が必要とされてくる、この問題を解決する手段として有効である。
【図面の簡単な説明】
【図１】本発明のパーソナル携帯電話掲示板システムの概念図。
【図２】本掲示板システムに会員登録をする場合の処理の流れを示す図。
【図３】運用基本情報登録（グループ員登録）の場合の処理の流れを示す図。
【図４】グループ員により書込み情報を登録する場合の処理の流れを示す図。
【図５】書込み情報があったことを発信する場合の図。
【図６】書き込み情報ダウンロードの場合の処理の流れを示す図。
【図７】グループ員によるアクセス確認システムを示す図。
【符号の説明】
１  掲示板サーバー
１１  情報サーバー
１２  書込み通知サーバー
２  会員の携帯電話機
３  グループ員の携帯電話機
４  インターネット
５  携帯電話通信網
【図１】
2004274650.tif 000003
【図２】
2004274650.tif 000004
【図３】
2004274650.tif 000005
【図４】
2004274650.tif 000006
【図５】
2004274650.tif 000007
【図６】
2004274650.tif 000008
【図７】
2004274650.tif 000009